(57)【要約】【課題】建築物の廊下の壁面や部屋の壁面等に取付けられ、これらの壁面を保護するための壁面ガードレールであって、施工が容易な壁面ガードレールを提供する。【解決手段】手すり用ブラケット（７）は、ブラケット取付け部（３６）に位置決めされると共に、基板（１２）を介して壁面（１）に固定される。手すり用ブラケット（７）は、その基端部（３７）の平坦な背面（４０）を基板（１２）の平坦部（１４）に当接させ、同時に、背面（４０）に対して直角を成す基端部（３７）の上面（４１）を基板（１２）の天井面（１８）に当接させることにより、正確に位置決めされているから、ブラケット（７）の設置位置の調整を行なうことなく、手すり（８）を隣り合うブラケット（７）の先端部に正確に取付けることができる。カバー部材（１３）の取付は基板（１２）に対して行なわれる。カバー部材（１３）の取付は、手すり（８）の取付け前でも、手すり（８）の取付け後でもよい。【選択図】  図３
2004339739.tif 000002
【特許請求の範囲】
【請求項１】
ブラケットを介して手すりを取付けることができる壁面ガードレールにおいて、前記壁面ガードレールは、壁面に固定される基板と、前記基板に形成されたブラケット取付け部と、前記基板に係止されるカバー部材とを有し、前記ブラケット取付け部は、前記ブラケットの背面が当接する平坦部と、前記ブラケットの基端部の上面が当接する天井面とを備え、前記ブラケットは、前記基板の前記ブラケット取付け部において、前記基板を介して前記壁面に固定されることを特徴とする、壁面ガードレール。
【請求項２】
請求項１に記載の壁面ガードレールにおいて、前記基板は、前記壁面に当接する平坦部と、前記平坦部の上端縁に沿って前記基板の長手方向に延在する天井面と、前記天井面の先端縁に沿って前記基板の長手方向に延在する前垂部とを有し、前記前垂部は、前記ブラケット取付け部において、前記前垂部の先端縁から前記天井面まで延在する、ブラケット挿入用切欠部を有することを特徴とする、前記壁面ガードレール。
【請求項３】
請求項１又は２に記載の壁面ガードレールにおいて、前記基板の前記ブラケット取付け部にブラケット係止用のボルト挿通孔を有することを特徴とする、前記壁面ガードレール。
【請求項４】
請求項１乃至３のうちのいずれか一項に記載の壁面ガードレールにおいて、前記基板は、前記前垂部の先端縁に沿って前記基板の長手方向に延在する係止爪を有し、前記基板の前記平坦部の下端縁に沿って前記基板の長手方向に延在する突条部を有し、前記カバー部材は、前記カバー部材の上端縁を前記係止爪に係合させ、かつ、前記カバー部材の下端縁を前記突条部の先端縁に係合させることにより、前記基板に係止されることを特徴とする、前記壁面ガードレール。
【請求項５】
請求項４に記載の壁面ガードレールにおいて、前記突条部は前記壁面ガードレールの腰壁見切部を形成することを特徴とする、前記壁面ガードレール。
【請求項６】
請求項１に記載の壁面ガードレールにおいて、前記基板は、前記壁面に当接する平坦部と、前記平坦部の上端縁に沿って前記基板の長手方向に延在する天井面とを有し、前記カバー部材は、前記ブラケット取付け部に対応する箇所に、ブラケット挿入用切欠部を有することを特徴とする、前記壁面ガードレール。
【請求項７】
請求項６に記載の壁面ガードレールにおいて、前記基板には、前記基板の前記平坦部の下端縁に沿って前記基板の長手方向に延在する突条部を形成し、前記基板の前記平坦部には、前記ブラケット取付け部を横切って前記基板の長手方向に延在する係止爪を形成し、前記カバー部材は、前記カバー部材の上端縁を前記係止爪に係合させ、かつ、前記カバー部材の下端縁を前記突条部の先端縁に係合させることにより、前記基板に係止されることを特徴とする、前記壁面ガードレール。
【発明の詳細な説明】
【０００１】
【発明の属する技術分野】
本発明は、建築物の廊下の壁面や、部屋や階段の壁面等に取付けられ、これらの壁面を保護するための壁面ガードレールに関し、壁面ガードレール単体として使用することができると共に、手すりを併設することもできる、壁面ガードレールに関するものである。
【０００２】
【従来の技術】
病院や介護施設等の建築物の廊下や部屋は、病人を搬送するためのストレッチャーや、体の不自由な人が使用する車椅子や、物品を搬送するためのワゴン等の機器が往来する場所である。これらの機器が壁面に衝突すると、壁面を損傷する可能性があるばかりでなく、ストレッチャー等の機器で搬送されている人が思わぬけがをする場合があり、また、搬送中の物品が損傷する可能性がある。そこで、このような建築物の廊下等の壁面には、ストレッチャー等が衝突したときの衝撃を緩衝するために、所謂、壁面ガードレールが取付けられる場合がある。
【０００３】
壁面ガードレールには、また、患者等の歩行者が歩行する際にその歩行の補助に供するため、手すりが併設される場合がある。壁面ガードレールはストレッチャーガードや腰壁や巾木等の複数種類の部材を有し、また、手すりはブラケットを介して壁面に取付けられるから、壁面ガードレールに単に手すりを併設すると、複数の部材を個々に位置決めして取付ける必要がある。また、壁面ガードレールに単に手すりを併設した場合には、壁面ガードレールや手すり等の部材が相互に干渉し、壁面ガードレールと手すりを最適な高さや最適な場所に設置できない場合もある。更に、壁面ガードレールと手すりを所望の高さ及び位置に設置することができる場合であっても、これらの部材を構成する複数の部材や部品が壁面に雑然と取付けられたような印象を与える場合もある。
【０００４】
特許文献１は、壁面ガードレールと手すりを所望の高さ及び所望の位置に設置することができる、手すり付き壁面ガードレール及び手すり組込み可能な壁面ガードレールを開示する。特許文献１に開示された発明は、複数のストレッチャーガードの基板を使用し、これらの基板を所定間隔を置いて壁面に取付け、隣り合うストレッチャーガードの間隙に手すりを取付けるためのブラケットを配置するように構成されている。このため、ストレッチャーガードと手すりのブラケットとが干渉しないから、両者を所望の高さ及び位置に設置することが可能になる。また、ストレッチャーガードの隣り合う複数の基板は、共通のカバー部材によって覆われるから、ストレッチャーガードの視覚的な一体感を得ることができる。
【０００５】
特許文献２は、人間工学的に優れた形状の手すりと、リテーナと、バンパーカバー部材と、手すりカバー部材とを備えた、人間工学的手すりを開示する。この人間工学的手すりでは、ストレッチャーガードに相当する部材はブラケットを介して壁面に固定され、この部材の上端から延出する部材に手すりを設けることにより、ストレッチャーガードと手すりを壁面から離隔させて配置するように構成されている。
【０００６】
【特許文献１】
特願２００２−１１４１４２号
【特許文献２】
特許第３２７４７０１号公報
【０００７】
【発明が解決しようとする課題】
特許文献１に開示された発明は、ストレッチャーガードの隣り合う基板の間の壁面にブラケットを取付け、このブラケットに手すりを固定するように構成されているから、各基板は、手すりを取付けるためのブラケットの取付け間隔に合わせて切断されなければならない。この手すり用ブラケットの取付け間隔は、手すりに所定の強度を持たせるために適当な間隔に維持されなければならないから、基板の切断と壁面への位置決め及び取付け、手すり用ブラケットの壁面への位置決め及び取付けに多くの手数を要し、必ずしも施工性が良いとは言えない。
【０００８】
特許文献１に開示された発明では、特に、ストレッチャーガードの複数の基板と、複数の手すり用ブラケットとを、それぞれ、壁面に対して個別に位置決めする必要があるため、位置決めと取付けに多くの時間を要するばかりでなく、美麗な仕上がりを得ることが容易でない場合がある。
【０００９】
特許文献１に開示された発明では、また、ストレッチャーガードの隣り合う基板の間隙に手すり用ブラケットを配置するから、手すり用ブラケットが壁面に当接する部分とその両側のストレッチャーガードの基板との間にそれぞれ空隙が生じる。ストレッチャーガードの隣り合う基板の前面は、カバー部材によって連続的に覆われるが、カバー部材は基板の前面を覆うのみであるから、手すり用ブラケットと基板の間の空隙から手すり用ブラケットの基端部が露出し、ストレッチャーガードと手すり用ブラケットとの一体感が損なわれる。
【００１０】
特許文献２に開示された発明では、ストレッチャーガードと手すりを壁面から離隔させて配置するように構成されているから、ストレッチャーガードが廊下の通路に突出し、廊下の通路幅を減少させるばかりでなく、ストレッチャーガードと手すりがブラケットを介して片持ち梁の形式で壁面に支持されるから、手すりとストレッチャーガードの支持強度を十分に得ることができない場合がある。
【００１１】
本発明の目的は、建築物の廊下の壁面や、部屋や階段の壁面等に取付けられ、これらの壁面を保護するための壁面ガードレールであって、壁面ガードレール単体として使用することができると共に、手すりを併設することもできる、壁面ガードレールを提供することにある。
【００１２】
本発明の他の目的は、壁面ガードレールに手すりを併設する際に、壁面ガードレールと手すりとの一体性を向上させることができると共に、施工性を向上させることができ、更に、取付け強度を向上させることができる、壁面ガードレールを提供することにある。
【００１３】
本発明の更に他の目的は、壁面ガードレールに手すりを併設する際に、壁面ガードレールと手すりとの干渉や手すり用のブラケットとの干渉によって、壁面ガードレールと手すりを最適の位置に設置することができないという事態を排除することができる、壁面ガードレールを提供することにある。
【００１４】
【課題を解決するための手段】
本発明のブラケットを介して手すりを取付けることができる壁面ガードレールにおいて、壁面ガードレールは、壁面に固定される基板と、基板に形成されたブラケット取付け部と、基板に係止されるカバー部材とを有し、ブラケット取付け部は、ブラケットの背面が当接する平坦部と、ブラケットの基端部の上面が当接する天井面とを備え、ブラケットは、基板のブラケット取付け部において、基板を介して前記壁面に固定されることを特徴とする。
【００１５】
このような構成の壁面ガードレールによれば、基板とカバー部材との間には、壁面ガードレールの全長に亘って延在する均一な空間を形成することができるから、壁面ガードレールの長手方向に沿って任意の位置にブラケット取付け部を設けることができる。これにより、手すりを支持するためのブラケット相互の間隔を自由に設定することが可能になる。
【００１６】
また、ブラケット取付け部は、手すりを支持するためのブラケットの背面が当接する平坦部と、このブラケットの基端部の上面が当接する天井面とを備え、ブラケットをこの平坦部と天井面とに当接させることによって、ブラケットの位置決めが完了する。即ち、基板の位置決めとは別にブラケットの位置決めをする必要がないから、手すりの取付けのための施工が容易になると同時に、手すりの仕上がりにばらつきを生じない。このとき、基板のブラケット取付け部に形成された平坦部と天井面とが互いに直角を成すように形成し、同時に、ブラケットの背面と基端部の上面とが互いに直角を成すように形成すれば、ブラケットの位置出しを正確に行なうことが可能になるばかりでなく、このようにして取付けたブラケットに手すりから荷重がかかっても、ブラケットの位置ずれを防止することができる。
【００１７】
本発明のブラケットを介して手すりを取付けることができる壁面ガードレールでは、ブラケットは、基板のブラケット取付け部において、基板を介して壁面に固定されるから、ブラケットと基板とは個別に係止されることなく、壁面に対して一緒に締結することができる。したがって、ブラケットの取付け作業が容易になると共に、基板の取付け強度を向上させることができる。
【００１８】
本発明のブラケットを介して手すりを取付けることができる壁面ガードレールでは、基板は、壁面に当接する平坦部と、この平坦部の上端縁に沿って基板の長手方向に延在する天井面と、この天井面の先端縁に沿って基板の長手方向に延在する前垂部とを有し、この前垂部は、ブラケット取付け部において、前垂部の先端縁から天井面まで延在する、ブラケット挿入用切欠部を有することを特徴とする。
【００１９】
このブラケット挿入用切欠部は、基板の前垂部の所望の位置に形成することができる。ブラケットがカバー部材に干渉しないように構成した場合には、カバー部材に切欠部を形成する必要はない。基板の前垂部には、予めノッチ等を形成し、切欠部を容易に形成することができるようにしておくことができる。前垂部の切欠部は、カッター等の切断手段を用いて前垂部の所望の位置を切断することにより形成することもできる。
【００２０】
ブラケット挿入用切欠部はカバー部材に形成することもできる。このとき、ブラケット挿入用切欠部は、カバー部材のブラケット取付け部に対応する箇所に形成される。カバー部材にブラケット挿入用切欠部を形成する場合には、前述のようにブラケット挿入用切欠部を前垂部に形成する場合と同様に、カッター等の切断手段を用いることができる。
【００２１】
カバー部材の上端縁を基板に係止させるため、基板の平坦部に、ブラケット取付け部を横切って基板の長手方向に延在する係止爪を形成することができる。このとき、基板には、基板の平坦部の下端縁に沿って基板の長手方向に延在する突条部を形成し、カバー部材は、その上端縁を係止爪に係合させ、かつ、その下端縁を突条部の先端縁に係合させることにより、基板に取付けられる。
【００２２】
なお、本発明の壁面ガードレールは、基板及びカバー部材は合成樹脂材料で形成することができる。また、ブラケットは手すりにかかる荷重を支持するため金属材料で形成することができる。
【００２３】
【発明の実施の形態】
以下、本発明の実施の形態を図面を参照して説明する。
図１乃至図７は、本発明の壁面ガードレールの第一の実施の形態を示す。図１において、参照番号１は建築物の廊下の壁面、２は壁面１に取付けられたドア、３はドア２の三方枠、４は壁面の下部に取付けられた巾木、５は巾木４の上部に取付けられた腰壁である。図１において、本発明の壁面ガードレール６は腰壁５の上部の壁面１に取付けられ、ドア２の右方の壁面１には、壁面ガードレール６と、壁面ガードレール６に手すり用ブラケット７を介して取付けられた手すり８が設けられている。これに対して、ドア２の左方の壁面１には、壁面ガードレール６のみが取付けられている。同図中、参照番号９は壁面ガードレール６のエンドキャップ、１０は壁面ガードレール６のコーナーブラケット、１１は手すり８のエンドキャップを示す。
【００２４】
図２は、図１のドア２の左方の壁面１に取付けられた壁面ガードレール６の断面図である。この壁面ガードレール６は、合成樹脂製の基板１２と、合成樹脂製のカバー部材１３とを有する。基板１２は、壁面１に当接する平坦部１４と、平坦部１４の上端縁に形成された上部起立壁１５と、平坦部１４の下端縁に形成された下部起立壁１６と、これらの起立壁１５、１６の間に形成された中間部起立壁１７とを有する。上部起立壁１５、下部起立壁１６及び中間部起立壁１７は、それぞれ、基板１６の長手方向に沿って延在する。
【００２５】
上部起立壁１５の下面には基板１２の天井面１８が形成され、天井面１８と平坦部１４の表面１９とは９０度の角度をなす。上部起立壁１５の先端縁には、図２中、下方へ延びる前垂部２０と、上方へ延びる壁面連接部２１とが形成され、上部起立壁１５と前垂部２０との連結部には切り欠き用のノッチ２２が形成される。また、前垂部２０の下端部にはＵ字状の係止爪２３が形成されている。
【００２６】
下部起立壁１６の先端部には、腰壁５の方向へ湾曲する突条部２４が形成され、突条部２４の先端部にはカバー部材１３の下端部を係止するための係止部２５が形成されている。突条部２４は腰壁５の方向に湾曲して延在することにより、腰壁見切部２６を形成する。
【００２７】
中間部起立部１７の先端部には、図２中、上方に屈曲して延在する補強片２７が形成されている。基板１２は、上部起立壁１５、下部起立壁１６、中間部起立壁１７、前垂部２０、壁面連接部２１、係止爪２３、突条部２４、係止部２５及び補強片２７と共に、合成樹脂等の材料で一体成形することができる。
【００２８】
カバー部材１３の上端縁には、係止爪２３に係合する係合爪２８が形成され、また、カバー部材１３の下端縁には、係止部２５に係合する係合爪２９が形成されている。カバー部材１３は、係合爪２８を基板１２の係止爪２３に係合させ、係合爪２９を基板１２の係止部２５に係合させることにより、基板１２に取付けられる。このとき、カバー部材１３の内面が補強片２７に当接すると共に、カバー部材１３と基板１２の間に緩衝用空間３０が形成されるように、カバー部材１３は合成樹脂等の材料によって一体成形される。
【００２９】
図２に示すように、基板１２は適当な数の係止ねじ３１、３１によって壁面１に固定される。壁材３２の裏面３３には必要に応じて補強板３４を設け、係止ねじ３１を補強板３４に螺合させることにより、基板１２の取付け強度を向上させることができる。また、基板１２の平坦部１４にも補強板３５を配置し、係止ねじ３１によって、補強板３５と補強板３４の間に壁材３２を挟むようにしてもよい。基板１２の取付けが完了すると、基板１２にカバー部材１３を装着し、これによって壁面ガードレール６は完成する。
【００３０】
図３乃至図７は、図２に示した壁面ガードレール６に、手すり用ブラケット７を介して、手すり８を併設する場合の実施態様を示す。この実施態様は、図１のドア２の右方に設置された手すり８を有する壁面ガードレール６に相当する。図３乃至図７に使用されている参照番号のうち、図１乃至２に使用されている参照番号と同じ番号は、共通の部材ないし構成要素を示すこととする。
【００３１】
図３及び図４に示すように、壁面ガードレール６の基板１２にはブラケット取付け部３６が形成される。ブラケット取付け部３６とは、手すり用ブラケット７が当接する部位を指し、具体的には、図３において、手すり用ブラケット７の基端部３７が基板１２と当接する部位をいう。ブラケット取付け部３６において、基板１２の平坦部１４にはボルト挿通孔３８が形成され、壁材３２には、ボルト挿通孔３８に整合する位置に貫通孔３９が形成されている。一方、手すり用ブラケット７の基端部３７は、平坦な背面４０と、この背面４０に対して直角をなす上面４１とを有し、手すり用ブラケット７は、その背面４０を基板１２の平坦部１４に当接させると共に、その上面４１を基板１２の天井面１８に当接させることによって、ブラケット取付け部３６に配置される。
【００３２】
手すり用ブラケット７をブラケット取付け部３６に配置するに際して、基板１２の前垂部２０にはブラケット用切欠部４２を形成する。ブラケット用切欠部４２は、図５に示すように、ブラケット取付け部３６において前垂部２０の先端縁から天井面１８まで延在するように、前垂部２０をカッター等の切断手段（図示せず）によって形成される。基板１２の前垂部２０と上部起立壁１５との間にはノッチ２２が形成されているから（図２参照）、前垂部２０の所望の位置にカッター等で２本の切断線を形成すれば、図５に示すように、前垂部２０の切断片４３はノッチ２２に沿って容易に切断することができる。
【００３３】
このようにして、ブラケット用切欠部４２を形成した後、図６に示すように、このブラケット用切欠部４２を介して手すり用ブラケット７をブラケット取付け部３６に挿入し、ブラケット７の平坦な背面４０を基板１２の平坦部１４に当接させると共に、ブラケット７の上面４１を基板１２の天井面１８に当接させる。これにより、図３に示すように、ブラケット７の位置決めがなされるから、ブラケット７の基端部３７のボルト挿通孔４４、基板１２のボルト挿通孔３８、壁材３２の貫通孔３９にボルト４５を挿入し、ボルト４５を壁材３２に裏面３３においてアンカー部材４６に係合させて係止する。これによって、手すり用ブラケット７は、ブラケット取付け部３６に位置決めされると共に、基板１２を介して壁面１に固定される。手すり用ブラケット７は、その基端部３７の平坦な背面４０を基板１２の平坦部１４に当接させ、同時に、背面４０に対して直角を成す基端部３７の上面４１を基板１２の天井面１８に当接させることにより、正確に位置決めされているから、ブラケット７の設置位置の調整を行なうことなく、手すり８を隣り合うブラケット７の先端部に正確に取付けることができる。カバー部材１３の取付は、図２の実施態様の場合と同様にして、基板１２に対して行なわれる。カバー部材１３の取付は、手すり８の取付け前でも、手すり８の取付け後でもよい。
【００３４】
図８乃至図１０は、本発明の壁面ガードレールの第二の実施の態様を示す。図８乃至図１０に使用されている参照番号のうち、図１乃至７に使用されている参照番号と同じ番号は、共通の部材ないし構成要素を示すこととする。図８は、手すり用ブラケット７を取付けないときの使用状態を示し、図９及び図１０は手すり用ブラケット７を取付けるときの使用状態を示す。
図８乃至図１０に示した実施態様の特徴は、基板１２Ａとカバー部材１３Ａとの間に、壁面ガードレール６の長手方向に延在する溝４７が形成され、また、ブラケット用切欠部４２がカバー部材１３Ａを切り欠くことによって形成されることにある。また、係止爪２３が基板１２の平坦部１４に突出形成されるため、ブラケット７の基端部３７の背面４０には、係止爪２３とブラケット７との干渉を防止するための溝４８を形成する必要がある。
【００３５】
図８乃至図１０の実施の態様においても、ブラケット取付け部３６にブラケット７を取付けるに際し、ブラケット７は、その基端部３７の平坦な背面４０を基板１２の平坦部１４に当接させ、同時に、背面４０に対して直角を成す基端部３７の上面４１を基板１２の天井面１８に当接させることにより、正確に位置決めされる。また、カバー部材１３Ａにブラケット用切欠部４２を形成する理由は、カバー部材１３Ａとブラケット７の基端部３７との干渉を避けるためである。その他の構成は前述した第一の実施の態様と同様である。
【００３６】
図１１乃至図１３は、本発明の第三の実施の態様を示す。図１１乃至図１３に使用されている参照番号のうち、図１乃至１０に使用されている参照番号と同じ番号は、共通の部材ないし構成要素を示すこととする。図１１は、手すり用ブラケット７を取付けないときの使用状態を示し、図１２及び図１３は手すり用ブラケット７を取付けるときの使用状態を示す。
図１１乃至図１３に示した実施態様の特徴は、手すり用ブラケット７を取付ける際に、基板１２Ｂの前垂部２０にブラケット用切欠部４２Ａを形成すると共に、カバー部材１３Ｂにもブラケット用切欠部４２Ｂを形成することにある。図中、４３Ａ、４３Ｂは、ブラケット用切欠部４２Ａ、４２Ｂを形成したときの切断片である。この実施の態様においても、ブラケット取付け部３６にブラケット７を取付けるに際し、ブラケット７は、その基端部３７の平坦な背面４０を基板１２の平坦部１４に当接させ、同時に、背面４０に対して直角を成す基端部３７の上面４１を基板１２の天井面１８に当接させることにより、正確に位置決めされる。その他の構成は前述した第一、第二の実施の態様と同様である。
【００３７】
【発明の効果】
以上説明したように、本発明の壁面ガードレールによれば、建築物の廊下の壁面や、部屋や階段の壁面等に取付けられ、これらの壁面を保護するための壁面ガードレールであって、壁面ガードレール単体として使用することができると共に、手すりを併設することもできる、壁面ガードレールを提供することができる。
【００３８】
また、本発明の壁面ガードレールによれば、壁面ガードレールに手すりを併設する際に、壁面ガードレールと手すりとの一体性を向上させることができると共に、施工性を向上させることができ、更に、取付け強度を向上させることができる、壁面ガードレールを提供することができる。
【００３９】
更に、本発明の壁面ガードレールによれば、壁面ガードレールに手すりを併設する際に、壁面ガードレールと手すりとの干渉や手すり用のブラケットとの干渉によって、壁面ガードレールと手すりを最適の位置に設置することができないという事態を排除することができる、壁面ガードレールを提供することができる。
【００４０】
また、本発明の壁面ガードレールは、その基板を壁面の所望の位置に係止ねじ等によって固定し、この基板にカバー部材を取付けるのみで完成する。これにより、基板とカバー部材との間には、壁面ガードレールの全長に亘って延在する均一な空間を形成することができるから、ストレッチャー等の機器がカバー部材に衝突した場合、その衝突位置に拘わらず、確実な緩衝効果を得ることができる。
【００４１】
本発明の壁面ガードレールは、また、前記基板の前記平坦部の下端縁に沿って前記基板の長手方向に延在する突条部に、壁面ガードレールの腰壁見切部を形成した場合には、カバー部材の下端縁と壁面に設けられた腰壁との一体感を得ることができる。
【００４２】
本発明の壁面ガードレールによれば、基板とカバー部材との間には、壁面ガードレールの全長に亘って延在する均一な空間を形成することができるから、壁面ガードレールの長手方向に沿って任意の位置にブラケット取付け部を設けることができる。これにより、手すりを支持するためのブラケットの間隔を自由に設定することが可能になる。
【００４３】
また、本発明の壁面ガードレールでは、ブラケット取付け部は、手すりを支持するためのブラケットの背面が当接する平坦部と、このブラケットの基端部の上面が当接する天井面とを備え、ブラケットをこの平坦部と天井面とに当接させることによって、ブラケットの位置決めが完了する。即ち、基板の位置決めとは別にブラケットの位置決めをする必要がないから、手すりの取付けのための施工が容易になると同時に、手すりの仕上がりにばらつきを生じない。このとき、基板のブラケット取付け部に形成された平坦部と天井面とが互いに直角を成すように形成し、同時に、ブラケットの背面と基端部の上面とが互いに直角を成すように形成すれば、ブラケットの位置出しを正確に行なうことが可能になるばかりでなく、このようにして取付けたブラケットに手すりから荷重がかかっても、ブラケットの位置ずれを防止することができる。
【００４４】
更に、本発明のブラケットを介して手すりを取付けることができる壁面ガードレールでは、前記ブラケットは、基板のブラケット取付け部において、基板を介して壁面に固定されるから、ブラケットと基板とは個別に係止されることなく、壁面に対して一緒に締結することができる。したがって、ブラケットの取付け作業が容易になると共に、基板の取付け強度を向上させることができる。
【００４５】
そして、本発明の壁面ガードレールのブラケット挿入用切欠部は、基板の前垂部等の所望の位置に形成することができる。ブラケットがカバー部材に干渉しないように構成した場合には、カバー部材に切欠部を形成する必要はない。基板の前垂部等には、予めノッチ等を形成し、切欠部を容易に形成することができるようにしておくことができる。この切欠部は、カッター等の切断手段を用いて前垂部の所望の位置を切断することにより形成することもできる。カバー部材に切欠部を形成する場合も同様にカッター等の切断手段を用いることができる。
【００４６】
【図面の簡単な説明】
【図１】本発明の壁面ガードレールに手すりを併設した状態における使用態様の一例を表す正面図である。
【図２】本発明の壁面ガードレールの第一の実施の形態を示し、この壁面ガードレールを壁面に取付けた状態の断面図である。
【図３】図２の壁面ガードレールに、手すりを併設した状態の断面図である。
【図４】図３の壁面ガードレールの一部を切り欠いた状態の壁面ガードレールの正面図である。
【図５】図２の壁面ガードレールにブラケット用切欠部を形成するための手順を示す斜視図である。
【図６】図５で形成したブラケット用切欠部に手すり用ブラケットを取付けるための手順を示す斜視図である。
【図７】図６のように手すり用ブラケットを取付けた壁面ガードレールにカバー部材を取付けるための手順を示す斜視図である。
【図８】本発明の壁面ガードレールの第二の実施の形態を示し、この壁面ガードレールを壁面に取付けた状態の断面図である。
【図９】図８の壁面ガードレールに、手すりを併設した状態の断面図である。
【図１０】図８の壁面ガードレールに手すり用ブラケットを取付けるための手順を示す斜視図である。
【図１１】本発明の壁面ガードレールの第三の実施の形態を示し、この壁面ガードレールを壁面に取付けた状態の断面図である。
【図１２】図１１の壁面ガードレールに、手すりを併設した状態の断面図である。
【図１３】図１１の壁面ガードレールに手すり用ブラケットを取付けるための手順を示す斜視図である。
【符号の説明】
１  壁面
２  ドア
４  巾木
５  腰壁
６  壁面ガードレール
７  手すり用ブラケット
８  手すり
１２  基板
１３  カバー部材
１４  平坦部
１５  上部起立壁
１６  下部起立壁
１７  中間部起立壁
１８  天井面
２０  前垂部
２１  壁面連接部
２２  切り欠き用のノッチ
２３  係止爪
２４  突条部
２５  係止部
２６  腰壁見切部
２７  補強片
２８、２９  係合爪
３０  緩衝用空間
３６  ブラケット取付け部
３７  手すり用ブラケットの基端部
３８  ボルト挿通孔
３９  貫通孔
４２  ブラケット挿入用切欠部
４４  ボルト挿通孔
４５  ボルト
【図１】
2004339739.tif 000003
【図２】
2004339739.tif 000004
【図３】
2004339739.tif 000005
【図４】
2004339739.tif 000006
【図５】
2004339739.tif 000007
【図６】
2004339739.tif 000008
【図７】
2004339739.tif 000009
【図８】
2004339739.tif 000010
【図９】
2004339739.tif 000011
【図１０】
2004339739.tif 000012
【図１１】
2004339739.tif 000013
【図１２】
2004339739.tif 000014
【図１３】
2004339739.tif 000015